(57)【要約】【課題】構造の簡略化を図ることができ、打楽器と同様の演奏を簡単に行うことができる電気楽器を提供すること。【解決手段】演奏者に保持される本体部１１と、この本体部１１に設けられた検出手段１２と、検出手段１２の出力信号に応じて所定の電子音を再生する発音装置１３とを備えて電気楽器１０が構成されている。本体部１１は、直線方向に沿って延びるとともに、一端側が演奏者により把持される把持部１５とされる。検出手段１２は、演奏者に対する本体部１１の向きを検出可能な第１のセンサ１２Ａと、本体部１１の動作を検出可能な第２のセンサ１２Ｂとを備えている。演奏者が打楽器を打撃するような動作を行うことにより、その動作を検出手段１２が検出して演奏を行うことができる。【選択図】図１
2007256736.tif 000002
【特許請求の範囲】
【請求項１】
演奏者に保持される本体部と、この本体部に設けられるとともに、演奏者に対する本体部の向きを検出可能な検出手段とを備えていることを特徴とする電気楽器。
【請求項２】
演奏者に保持される本体部と、この本体部に設けられた検出手段とを備え、
前記検出手段は、演奏者に対する本体部の向きを検出可能な第１のセンサと、本体部の動作を検出可能な第２のセンサとを備えていることを特徴とする電気楽器。
【請求項３】
前記本体部は、直線方向に沿って延びる形状を備え、演奏者により把持される把持部を形成するとともに、前記検出手段が設けられることを特徴とする請求項１又は２記載の電気楽器。
【請求項４】
前記本体部は、直線方向に沿って延びる形状を備え、一端側が演奏者により把持される把持部を形成するとともに、他端側に前記検出手段が設けられることを特徴とする請求項１又は２記載の電気楽器。
【請求項５】
前記検出手段の出力信号に応じて所定の電子音を再生する発音装置を更に備えていることを特徴とする請求項１ないし４の何れかに記載の電気楽器。
【請求項６】
前記発音装置は、本体部に内蔵されていることを特徴とする請求項５記載の電気楽器。
【請求項７】
前記発音装置は、本体部と別体に設けられて当該本体部とケーブルを介して接続可能に設けられていることを特徴とする請求項５記載の電気楽器。
【請求項８】
前記検出手段の出力信号を送信する送信機と、この送信機からの送信信号を受信する受信機とを有する無線装置を更に含み、前記送信機は本体部に設けられている一方、前記受信機は、本体部と別体となる発音装置に設けられていることを特徴とする請求項５記載の電気楽器。
【請求項９】
前記第１のセンサは地磁気センサにより構成されている一方、地磁気センサの検出値を所定値に操作可能なスイッチが前記本体部に設けられていることを特徴とする請求項２記載の電気楽器。
【発明の詳細な説明】
【技術分野】
【０００１】
本発明は、電気楽器に係り、更に詳しくは、簡単な構造により打楽器の演奏を行うことができる電気楽器に関する。
【背景技術】
【０００２】
従来より、演奏者の種々の動作に応じて電子音を再生することにより演奏を行えるものが知られている（特許文献１参照）。このように電子音を再生するものとして、ドラムセットの大小のタムやシンバルと同様に複数の打撃パッドを配置した電気ドラムや、所定の筐体の上面側に複数の打撃パッドを配置した電気打楽器が利用されている。
【０００３】
【特許文献１】特開２００１−１９５０５９号公報
【発明の開示】
【発明が解決しようとする課題】
【０００４】
しかしながら、このような電気ドラムや電気打楽器にあっては、楽器自体を配置するためのスペースを広く確保することが必要となったり、各打撃パッドやその支持構造が複雑となる傾向がある。このため、一般の住宅内に設置することが困難となるばかりでなく、セッティング作業や後片付けが面倒になり、演奏を手軽に行い難くなるという不都合を招来する。また、電子音を発音させなくても、パッドの打撃音が発生して騒音の原因となるという不都合もある。
【０００５】
［発明の目的］
本発明は、このような不都合に着目して案出されたものであり、その目的は、構造の簡略化を図ることができ、ドラムセット等の打楽器と同様の演奏を簡単に行うことができる電気楽器を提供することにある。
【課題を解決するための手段】
【０００６】
前記目的を達成するため、本発明は、演奏者に保持される本体部と、この本体部に設けられるとともに、演奏者に対する本体部の向きを検出可能な検出手段とを備える、という構成が採用されている。
【０００７】
また、本発明は、演奏者に保持される本体部と、この本体部に設けられた検出手段とを備え、
前記検出手段は、演奏者に対する本体部の向きを検出可能な第１のセンサと、本体部の動作を検出可能な第２のセンサとを備える、という構成も採用される。
【０００８】
本発明において、前記本体部は、直線方向に沿って延びる形状を備え、演奏者により把持される把持部を形成するとともに、前記検出手段が設けられる、という構成や、前記本体部は、直線方向に沿って延びる形状を備え、一端側が演奏者により把持される把持部を形成するとともに、他端側に前記検出手段が設けられる、という構成が好ましくは採用される。
【０００９】
また、前記検出手段の出力信号に応じて所定の電子音を再生する発音装置を更に備えることが好ましい。
【００１０】
更に、前記発音装置が本体部に内蔵されたり、発音装置が本体部と別体に設けられて当該本体部とケーブルを介して接続可能に設けられたり、或いは、前記検出手段の出力信号を送信する送信機と、この送信機からの送信信号を受信する受信機とを有する無線装置を更に含み、前記送信機は本体部に設けられている一方、前記受信機は、本体部と別体となる発音装置に設けられる、という構成を採ることができる。
【００１１】
また、前記第１のセンサは地磁気センサにより構成されている一方、地磁気センサの検出値を所定値に操作可能なスイッチが前記本体部に設けられる、という構成を採ることが好ましい。
【発明の効果】
【００１２】
本発明によれば、例えば、演奏者が本体部を保持してドラムセットを演奏するような動作を行うことにより、その動作に応じた本体部の向きを検出手段が検出することができ、演奏を行う振りを行えば、その動作に応じた検出信号を得ることが可能となる。これにより、演奏のため、従来の電気ドラムのような大掛かりな装置を用意する必要性を排除でき、セッティング作業等の省力化を図って手軽に演奏を行うことが可能となる。ここで、本体部の動作を検出する第２のセンサを検出手段が有する場合、打撃するような演奏動作をより良く検出することができる。
【００１３】
また、本体部に把持部を形成することにより良好な操作性を得ることができ、本体部を直線方向に延びる形状として他端側に検出手段を設けたので、演奏時に、ドラム等の打楽器を叩くためのスティックと同様に本体部を扱うことができ、また、検出手段による本体部の向きや動作の検出を行い易くすることが可能となる。
【００１４】
更に、検出手段の出力に応じて発音装置が電子音を再生するので、ドラムセットを演奏する動作を行ったときの本体部の向きに対応して各種ハイハットやバス、スネア、タムの音を再生するように設定でき、ドラムセットのような演奏やその練習を簡単に行うことが可能となる。
【００１５】
また、発音装置と本体部とを一体とすれば、シンプル且つコンパクトな形態として演奏、発音を行うことができる。一方、それらを別体としてケーブルや無線装置を介して発音装置から発音させることにより、発音装置を構成するアンプやスピーカの大型化等に対応することが可能となる。
【００１６】
更に、第１のセンサを地磁気センサとすることにより、演奏者に対する本体部の向きを簡単且つ精度良く検出することができる。また、地磁気センサの検出値を操作可能なスイッチを設けたので、演奏者が体の向きを変えたときにスイッチを操作することで、演奏者に対する地磁気センサの基準値を容易且つ迅速に設定することが可能となる。
【発明を実施するための最良の形態】
【００１７】
以下、本発明の好ましい実施の形態について図面を参照しながら説明する。
【００１８】
［第１実施形態］
図１には、実施形態に係る電気楽器を一部模式化した概略斜視図が示されている。この図では、同一構造をなす二体の電気楽器１０が図示され、右手と左手にそれぞれ一体ずつ保持して利用できるようになっている。電気楽器１０は、所定方向に延びる本体部１１と、この本体部１１の一端側（図１中左端側）に設けられた検出手段１２と、本体部１１の他端側（同図中右端側）に設けられた発音装置１３とを備えて構成されている。
【００１９】
前記本体部１１は、直線方向に沿って延びる軸状又は棒状に形成され、具体的には、ドラムセットを演奏するためのスティックと同様の外観形状を呈するように設けられている。従って、本体部１１の右端側が演奏者により把持される領域となる把持部１５を形成する。
【００２０】
前記検出手段１２は、演奏者に対する本体部１１の向きを検出可能な第１のセンサ１２Ａと、本体部１１の動作を検出可能な第２のセンサ１２Ｂとを備えている。第１のセンサ１２Ａは、地磁気センサにより構成され、本体部１１の軸線が向けられた方位を検出して前記発音装置１３に出力するようになっている。第２のセンサ１２Ｂは、特に限定されるものでないが、本実施形態では、加速度センサにより構成され、本体部１１の動作に応じた加速度を検出して前記発音装置１３に出力可能に設けられている。
なお、図１において、第１及び第２のセンサ１２Ａ，１２Ｂは、本体部１１の左端側に埋め込むように設けられているが、把持部１５側や本体部１１の延出方向中間部に設ける等前記左端側以外の領域に設けたり、本体部１１の外周面に装着するようにしてもよい。また、第１及び第２のセンサ１２Ａ，１２Ｂは、隣接するように配置されているが、これらの一方が本体部１１の一端側で、他方が本体部１１の他端側や中間部にする等、相互に離れて配置してもよい。
【００２１】
前記発音装置１３は、本体部１１の把持部１５側に内蔵されている。発音装置１３は、図２に示されるように、前記第１及び第２のセンサ１２Ａ，１２Ｂの出力信号を入力する機能等を有するコントローラ１８と、種々の楽音を記憶するとともに、コントローラ１８からの出力を入力として楽音信号を生成するＭＩＤＩ装置等からなる音源ユニット１９と、この音源ユニット１９から出力された信号を増幅するアンプ２０と、このアンプ２０からの信号を入力として前記本体部１１の図１中右端側から電子音を再生するスピーカ２１とを備えて構成されている。
【００２２】
前記コントローラ１８は、図３に示されるように、各種演算処理を行うとともに各部を制御するＣＰＵ（中央処理装置）２４と、前記第１及び第２のセンサ１２Ａ，１２Ｂの出力信号をデジタル信号に変換してＣＰＵ２４に出力するＡ／Ｄコンバータ２５，２６と、ＣＰＵ２４のワークメモリとして使用されるＲＡＭ２７（Random Access Memory）と、ＣＰＵ２４に読み出されて実行されるプログラム群を格納したＲＯＭ２８（Read only
Memory）と、前記把持部１５の外周面（図１参照）に設けられて演奏者により操作されるスイッチ３０と、ＬＥＤ、ＬＣＤ、ＥＬ（エレクトロルミネッセンス）ディスプレイ等により構成されて演奏中の音色や音色割り当てパターン、楽調等を表示する表示ユニット３１とを備えている。前記スイッチ３０は、演奏者により種々の操作を行えるようになっており、例えば、操作時における第１のセンサ１２Ａが検出した本体部１１の向きを基準値として設定したり、電源のＯＮ／ＯＦＦを切り替えたり、スピーカ２１からの音量を調整したり、前記音源ユニット１９における音色や楽調を切り替えたりすることができるようになっている。なお、前記表示ユニット３１は、図１では図示省略したが、本体部１１の外周面側における演奏者により見易い領域に設けることが好ましい。
【００２３】
次に、前記電気楽器１０の演奏時における処理の手順を、図４及び図５を用いて説明する。
【００２４】
ここでは、図４に示されるように、演奏者Ｐが本体部１１の他端側（把持部１５側）を把持した状態を平面視したときに、後述の表１に示す関係となるように、コントローラ１８において予め設定されているものとする。
【００２５】
【表１】
2007256736.tif 000003
【００２６】
電気楽器１０を演奏すべく、演奏者Ｐが打楽器の打面を打撃するような動作（以下、「打撃模倣操作」とする）、すなわち、手に持った本体部１１を上から下に向かって振り落とすと、その動作の上下方向（ｚ軸方向）の加速度αを第２のセンサ１２Ｂを介して検出し（ステップＳ１）、当該加速度αが所定値ｋより大きいか否かを判定する（ステップＳ２）。加速度αが所定値ｋより大きい場合には、第１のセンサ１２Ａにより本体部１１の軸線向きθを検出する（ステップＳ３）。この軸線向きθが、表１の（１）の条件を満たす場合には（ステップＳ４）、音色Ａが発音され（ステップＳ５）、同表（２）の条件を満たす場合には（ステップＳ６）、音色Ｂが発音され（ステップＳ７）、同表（３）の条件を満たす場合には（ステップＳ８）、音色Ｃが発音される（ステップＳ９）。なお、ステップＳ４，Ｓ６，Ｓ８において軸線向きθが同表（１）〜（３）の何れの条件も満たすものでなかったり、ステップＳ５，Ｓ７，Ｓ９において発音処理を行ったり、ステップＳ２において加速度αが所定値ｋ以下であった場合、再度、前記ステップ１の処理を行う。
【００２７】
ここで、図６（Ａ）に示されるように、音色Ａをドラムセットのハイハット、音色Ｂをドラムセットのバス、音色Ｃをドラムセットのスネアのような音色にコントローラ１８及び音源ユニット１９において設定することができる。これにより、ドラムセットの演奏時におけるスティックの向きと同様に本体部１１の向きを変えて打撃模倣操作を行うことで、パッドや打面等を特に打撃することなく、ドラムセットのような音色で演奏を行うことができる。また、前記スイッチ３０を操作することで、音色Ａ〜Ｃを他の音色に切り替えるように設定してもよく、例えば、図６（Ｂ）に示されるように、音色Ａ〜Ｃをドラムセットのタム１〜３のような音色に設定してもよい。これによれば、演奏中に、音色を切り替え可能として発音の音色が増大し、演奏のバリエーションを増やしたり、ドラムセットの発音により近付けることが可能となる。
【００２８】
ところで、図７（Ａ）及び（Ｂ）に示されるように、演奏者Ｐが体の正面の向きを変えると、第１のセンサ１２Ａが地磁気センサを利用していることから、前述の軸線向きθと音色Ａ〜Ｃとの関係が変化することとなる。
このとき、図７（Ｃ）に示されるように、本体部１１を演奏者Ｐに対して前方に向けた状態で前記スイッチ３０を所定操作することにより、第１のセンサ１２Ａが検出した本体部１１の軸線向きθを基準値とし、演奏者Ｐから見て軸線向きθと音色Ａ〜Ｃとの関係を前述した初期状態に復帰させることができる。
【００２９】
従って、このような第１実施形態によれば、本体部１１及び検出手段１２により電気楽器１０を演奏するための操作部材を形成しつつ、本体部１１に内蔵された発音装置１３から種々の電子音を再生することができ、打撃対象物を準備することなくドラムセットと同様の動作によって演奏を行うことが可能となる。これにより、ドラムセットや電気ドラムのような設置スペースが不要となり、電気楽器１０を打撃模倣操作するだけの最小限のスペースで演奏及びその練習を手軽に行うことが可能となる。
【００３０】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００３１】
［第２実施形態］
図８には、本発明の第２実施形態に係る電気楽器１０のブロック図が示されている。この第２実施形態は、前述のアンプ２０及びスピーカ２１と同様の機能を有するＦＭラジオ３５を用いている。音源ユニット１９には、ＦＭ波の送信機３６が設けられており、このＦＭ波をＦＭラジオ３５が受信して当該ＦＭラジオ３５から音源ユニット１９で生成された電子音を再生できるようになっている。これによれば、第１実施形態に比べ、本体部１１の内部構造の簡略化を図ることができる他、発音装置１３の一部の構成として既存のＦＭラジオ３５を利用することが可能となる。
【００３２】
［第３実施形態］
図９には、本発明の第３実施形態に係る電気楽器１０のブロック図が示されている。この第３実施形態は、本体部１１と発音装置１３とを別体に設けるとともに、これらをケーブル３８を介して接続したものである。これによれば、本体部１１の内部構造をより一層簡略とすることができるばかりでなく、コントローラ１８や音源１９、スピーカ２１等をそれぞれ単一として構造の簡素化を図ることが可能となる。なお、発音装置１３は、図示省略した適宜な筐体内に組み込まれることが例示できる。
【００３３】
［第４実施形態］
図１０には、本発明の第４実施形態に係る電気楽器１０のブロック図が示されている。この第４実施形態は、本体部１１と発音装置１３とを別体に設けるとともに、無線装置４０を介して信号を送受信するようにしたものである。無線装置４０は、本体部１１に設けられるとともに、前記コントローラ１８と略同様の機能を有するコントローラ４１に接続されて第１及び第２のセンサ１２Ａ，１２Ｂの出力信号を送信する送信機４２と、発音装置１３のコントローラ１８に接続されるとともに、送信機４２からの送信信号を受信する受信機４３とを備えている。これによれば、本体部１１とは別に発音装置１３を取り扱うことができ、ホール等の比較的広い演奏会場であっても、発音装置１３を大型化、高機能化して対応できる等、演奏態様等にバリエーションを付与することが可能となる。
【００３４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３５】
例えば、前記各実施形態では、二体の電気楽器１０を用いているが、電気楽器１０を一体だけ用いて演奏を行ってもよい。
また、図４では、軸線向きθが演奏者Ｐの正面側で略等分に三分割した範囲において三種類の音色Ａ〜Ｃを奏するように設定したが、分割する範囲を増減し、音色の種類も増減させてもよい。更に、音色の種類は、ドラムセットや打楽器以外の楽器や擬音等に設定してもよい。
また、本体部１１の形状は、演奏者Ｐが把持して演奏を行える限りにおいて、種々の設計変更が可能であり、例えば、携帯電話等に前述した各構成を内蔵して演奏を行えるようにしてもよい。但し、本体部１１をスティック状とした方が打楽器と同様の動作によって演奏を行える点で有利となる。
また、第２のセンサ１２Ｂは、圧力センサとしてもよく、この場合、本体部１１によりパッド等の打撃対象物を叩いたときの振動を検出して本体部１１の動作を検出すればよい。更に、検出手段１２において、第２のセンサ１２Ｂを省略し、第１のセンサ１２Ａの検出信号だけで前述の打撃模倣動作を検出するようにしてもよい。但し、前記打撃模倣動作を感度良く検出するには第２のセンサ１２Ｂを用いた方が好ましい。
【図面の簡単な説明】
【００３６】
【図１】第１実施形態に係る電気楽器の概略斜視図。
【図２】前記電気楽器の概略的な構成を示すブロック図。
【図３】発音装置の構成を示すブロック図。
【図４】演奏時の音色の変化を説明するための図。
【図５】演奏時の処理の流れを示すフローチャート。
【図６】（Ａ）及び（Ｂ）は、図４の具体例を説明するための図。
【図７】（Ａ）〜（Ｃ）は、演奏者の体の向きが変化した場合の設定方法の説明図。
【図８】第２実施形態に係る図２と同様のブロック図。
【図９】第３実施形態に係る図２と同様のブロック図。
【図１０】第４実施形態に係る図２と同様のブロック図。
【符号の説明】
【００３７】
１０・・・電気楽器、１１・・・本体部、１２・・・検出手段、１２Ａ・・・第１のセンサ、１２Ｂ・・・第２のセンサ、１３・・・発音装置、１５・・・把持部、３０・・・スイッチ、４０・・・無線装置、４２・・・送信機、４３・・・受信機
【図１】
2007256736.tif 000004
【図２】
2007256736.tif 000005
【図３】
2007256736.tif 000006
【図４】
2007256736.tif 000007
【図５】
2007256736.tif 000008
【図６】
2007256736.tif 000009
【図７】
2007256736.tif 000010
【図８】
2007256736.tif 000011
【図９】
2007256736.tif 000012
【図１０】
2007256736.tif 000013